(57)【要約】【課題】  電源遮断までに読み込まれた原稿データを保障し、且つ、次回の複写対象原稿の読み込み時には、不要なページデータの読み込みを実施しないことで、コントローラの処理を軽減するとともに、既にデータ処理済みの複写データをそのまま使うことにより、複写動作までの時間を短縮する。【解決手段】  原稿読み込み中にその処理が中断した場合、次回、画像形成装置が復帰したときに途中まで読み込んだ原稿があることを画像形成装置が認識する為の読み取り途中原稿フラグ手段、中断までの読み込み原稿数を記憶しておく読み込み済み原稿枚数記録手段、途中読み取り済み原稿のデータの所在を記憶する読み取り途中原稿管理手段、途中まで読み込んだ原稿があることを示す読み取り途中原稿フラグ手段を持つ。【選択図】        図１
2007013842.tif 000002
【特許請求の範囲】
【請求項１】
画像形成装置において、原稿読み込み中にその処理が中断した場合、次回、画像形成装置が復帰したときに途中まで読み込んだ原稿があることを画像形成装置が認識する為の読み取り途中原稿フラグ手段、中断までの読み込み原稿数を記憶しておく読み込み済み原稿枚数記録手段、途中読み取り済み原稿のデータの所在を記憶する読み取り途中原稿管理手段、途中まで読み込んだ原稿があることを示す読み取り途中原稿フラグ手段を持つことを特徴とする画像形成装置。
【請求項２】
画像形成装置において、画像形成装置が原稿を読み込み中に処理が停止し、そして処理が復帰した場合に、処理の停止前後に読み込んだ画像データを結合して出力する手段を持つことを特徴とする請求項１記載の画像形成装置。
【発明の詳細な説明】
【技術分野】
【０００１】
本発明は、パーソナルコンピュータなどの端末装置にネットワーク接続される画像形成装置および画像形成システムに関する。
【背景技術】
【０００２】
従来、画像形成装置の原稿フィーダーに複写対象原稿をセットし複写対象原稿を画像形成装置に読み込ませている最中に画像処理装置の電源遮断が起きた場合に、原稿フィーダーで読み取った原稿枚数は消えてしまっていた。その為、再度、原稿をセットした場合、１ページ目から読み込み、データ処理を実施していた。
【０００３】
また一方で、スキャン中にジャムが発生した場合、スキャナユニットの読み取り稼動部のジャム発生前の読み取り位置を記憶しておき、ジャム処理後に、その読み取り位置に読み取り部を移動させて原稿の続きを読み込むものが提案されている（例えば、特許文献１参照。）。
【特許文献１】特開平６−２０５１８０号公報
【発明の開示】
【発明が解決しようとする課題】
【０００４】
しかしながら、複写しなければならない原稿の枚数が多い場合、１ページ目の画像データから再度、画像形成装置に読み込ませて印刷を実行していたのでは時間がかかっていた。
【０００５】
本発明は上述の問題点に着目してなされたものであって、電源遮断までに読み込まれた原稿データを保障し、且つ、次回の複写対象原稿の読み込み時には、不要なページデータの読み込みを実施しないことで、コントローラの処理を軽減するとともに、既にデータ処理済みの複写データをそのまま使うことにより、複写動作までの時間を短縮することのできる画像形成装置の提供を目的とする。
【課題を解決するための手段】
【０００６】
上述した課題を解決する為に、本発明は、画像形成装置において、原稿読み込み中にその処理が中断した場合、次回、画像形成装置が復帰したときに途中まで読み込んだ原稿があることを画像形成装置が認識する為の読み取り途中原稿フラグ手段、中断までの読み込み原稿数を記憶しておく読み込み済み原稿枚数記録手段、途中読み取り済み原稿のデータの所在を記憶する読み取り途中原稿管理手段、途中まで読み込んだ原稿があることを示す読み取り途中原稿フラグ手段を持つことを特徴とする。
【０００７】
また、画像形成装置において、画像形成装置が原稿を読み込み中に処理が停止し、そして処理が復帰した場合に、処理の停止前後に読み込んだ画像データを結合して出力する手段を持つことを特徴とする。
【発明の効果】
【０００８】
読み込み原稿枚数が多い場合、電源遮断までの原稿データを保障し、且つ、次回の複写対象原稿の読み込み時には、不要なページデータの読み込みを実施しないことで、コントローラの処理を軽減するとともに、既にデータ処理済みの複写データをそのまま使うことにより、複写動作までの時間を短縮できる。
【発明を実施するための最良の形態】
【０００９】
以下に本発明を実施するための最良の形態を、実施例に基づいて説明する。
【実施例１】
【００１０】
図１は、本発明の実施の形態１における画像形成装置の電源遮断から復帰後の処理を説明するフローチャートである。
【００１１】
ステップＳ１０１は、画像形成装置の操作部にあるスタートキーがＬＣＤ表示部に表示されている中断ジョブ有りボタンを選択してから押されたか否かを判定する処理を行う。ステップＳ１０１において、ＬＣＤ表示部に表示された中断ジョブ有りボタンが選択されて画像形成装置のスタートキーが押下された場合にはステップＳ１０２の処理へ、中断ジョブ有りボタンが選択されずに画像形成装置の操作部のスタートボタンが押下された場合には、通常のコピー処理を行う。
【００１２】
ステップＳ１０２は、不揮発性メモリ、もしくは、リチウムイオン電池等でデータがバックアップされている揮発性メモリに格納されているジョブ管理テーブルから、画像形成装置の主電源遮断前に画像形成装置のＨＤＤ等の記録装置に格納された読み込み済み複写対象原稿の枚数を読み出す処理を行う。
【００１３】
ステップＳ１０３は、画像形成装置のフィーダー１４２に設置された原稿のスキャンを実行し、且つ、スキャンした原稿枚数をカウントする処理を行う。
【００１４】
ステップＳ１０４は、ステップＳ１０３でスキャンした枚数とステップＳ１０２でジョブ管理テーブルから読み出された処理済み複写原稿枚数を比較する。ここで、ステップＳ１０３の処理でフィーダー１４２にてスキャンされた原稿枚数が、ステップＳ１０２でジョブ管理テーブルから読み出した処理済み複写原稿枚数以下の場合、ステップＳ１０３の処理を再度行う。尚、ステップＳ１０３の処理では、フィーダー１４２にセットされ読み込まれた複写対象原稿のデータを画像形成装置は記録装置等には格納しない。ステップＳ１０４で画像形成装置のフィーダー１４２にてスキャンされた複写対象原稿枚数がジョブ管理テーブルから読み出された処理済み複写対象原稿枚数よりも大きくなった場合、処理をステップＳ１０５へ移行する。
【００１５】
ステップＳ１０５は、フィーダーで読み込んだ複写対象原稿に画像処理を施し画像形成装置に装着されている記録装置に記録する処理を行う。
【００１６】
ステップＳ１０６は、フィーダーに複写対象原稿が残っているか否かをチェックする処理を行う。ステップＳ１０６で、フィーダーに複写対象原稿が残っている場合は、その原稿を読み込んで画像処理を行い画像形成装置に装着されている記録装置に記録する処理を繰り返す。ステップＳ１０６で、フィーダーにセットされた複写対象原稿がなくなったら、複写対象原稿の読み込み処理を終了する。
【００１７】
ステップＳ１０７は、画像形成装置の主電源が切断される前に既にフィーダーから読み込まれた画像データと、画像形成装置の主電源が復帰した後に読み込んだ画像データとを出力する処理を行う。ステップＳ１０７では、フィーダーで複写対象原稿をスキャンした後、後述のテンポラリーデータ情報記録部に記録されている格納開始アドレス部、格納終了アドレス部の情報を元に、先ず、前期格納開始アドレス部から格納終了アドレス部の間に記録されている画像データを印刷する。それが終了したら、フィーダーから読み込んだ画像データを出力させる。
【００１８】
図２は本発明の実施の形態１における画像形成装置の外観図である。画像入力デバイスであるスキャナ部１０は、原稿画像をランプにより照射し、ＣＣＤラインセンサ（図示せず）で読み取り、電気信号に変換することで画像データとして処理を行う。原稿用紙を原稿フィーダー１４２にセットし、装置使用者が操作部１４０から読み取り起動指示することにより、原稿フィーダー１４２は原稿用紙を１枚ずつフィードし原稿画像の読み取り動作を行う。
【００１９】
画像出力デバイスであるプリンタ部２０は、画像データを用紙上の画像に変換する部分であり、本特許の明細書では、感光体ドラムや感光体ベルトを用いた電子写真方式により説明を行うが、微少ノズルアレイからインクを吐出して用紙上に直接画像を印字するインクジェット方式等であっても構わない。プリント動作の起動は、装置内部のコントローラからの指示によって開始する。プリンタ部２０には、異なる用紙サイズまたは異なる用紙向きを選択できるように複数の給紙段を持ち、それに対応した用紙カセット１２２、１２４、１４４、１４６がある。また、画像形成された用紙は排紙トレイ１３２上に排出される。
【００２０】
図３は本発明の実施の形態１における画像形成装置の構成を説明する断面図である。１０１は原稿台ガラスであり、原稿フィーダー１４２から給送された原稿が順次、所定位置に載置される。１０２は例えばハロゲンランプから構成される原稿照明ランプで、原稿台ガラス１０１に載置された原稿を露光する。１０３、１０４、１０５は走査ミラーであり、図示しない光学走査ユニットに収容され、往復動しながら、原稿からの反射光をＣＣＤユニット１０６に導く。ＣＣＤユニット１０６はＣＣＤに原稿からの反射光を結像させる結像レンズ１０７、例えばＣＣＤから構成される撮像素子１０８、撮像素子１０８を駆動するＣＣＤドライバ１０９等から構成されている。撮像素子１０８からの画像信号出力は例えば８ビットのデジタルデータに変換された後、コントローラユニット３０に入力される。また、１１０は感光ドラムであり、１１２の前露光ランプによって画像形成に備えて除電される。１１３は１次帯電器であり、感光ドラム１１０を一様に帯電させる。１１７は露光手段であり、例えば半導体レーザー等で構成され、画像形成や装置全体の制御を行うコントローラユニット３０で処理された画像データに基づいて感光ドラム１１０を露光し、静電潜像を形成する。１１８は現像器であり、黒色の現像剤（トナー）が収容されている。１１９は転写前帯電器であり、感光ドラム１１０上に現像されたトナー像を用紙に転写する前に高圧をかける。１２０、１２２、１２４、１４４、１４６は給紙ユニットであるところの用紙カセットであり（１２０は手差し給紙ユニット）、各給紙ローラ１２１、１２３、１２５、１４３、１４５の駆動により、転写用紙が装置内へ給送され、レジストローラ１２６の配設位置で一旦停止し、感光ドラム１１０に形成された画像との書き出しタイミングがとられ再給送される。１２７は転写帯電器であり、感光ドラム１１０に現像されたトナー像を給送される転写用紙に転写する。１２８は分離帯電器であり、転写動作の終了した転写用紙を感光ドラム１１０より分離する。転写されずに感光ドラム１１０上に残ったトナーはクリーナー１１１によって回収される。１２９は搬送ベルトで、転写プロセスの終了した転写用紙を定着器１３０に搬送し、例えば熱により定着される。１３１はフラッパであり、定着プロセスの終了した転写用紙の搬送パスを、排紙トレイ１３２または中間トレイ１３７の配置方向のいずれかに制御する。また、１３３〜１３６は給送ローラであり、一度定着プロセスの終了した転写用紙を中間トレイ１３７に反転（多重）または非反転（両面）して給送する。１３８は再給送ローラであり、中間トレイ１３７に載置された転写用紙を再度、レジストローラ１２６の配設位置まで搬送する。
【００２１】
コントローラユニット３０には後述するマイクロコンピュータ、画像処理部等を備えており、マンマシンインターフェース装置、すなわち操作部１４０からの指示に従って、前述の画像形成動作を行う。
【００２２】
図４は本発明の実施の形態１における画像形成装置の操作部１４０の構成図である。ＬＣＤ表示部１０３２は、ＬＣＤ上にタッチパネルシートが貼られており、システムの操作画面を表示するとともに、表示してあるキーが押されるとその位置情報をコントローラユニット３０に伝える。テンキー１０２８はコピー枚数など、数字の入力時に使用する。スタートキー１０２９は原稿画像の読み取り動作を開始する時などに用いる。ストップキー１０３０は稼働中の動作を止めるときに使用する。リセットキー１０３１は操作部からの設定を初期化する時に用いる。
【００２３】
また、１０２３はガイドキーであり、キーの機能が解らないとき押すとそのキーの説明が表示される。１０２４はコピーモードキーであり、複写を行うときに押す。１０２５はファクスキーであり、ファクスに関する設定を行うときに押す。１０２６はファイルキーであり、ファイルデータを出力したいときに押す。１０２７はプリンターキーであり、コンピュータ等の外部装置からのプリント出力に関する設定などを行うときに使用する。
【００２４】
図５は、本発明の実施の形態１における画像形成装置のテンポラリーデータ情報記録部の一例を示した図である。テンポラリーデータ情報記録部は、画像形成装置のコントローラユニットにあるバッテリーバックアップされたＳＲＡＭ、もしくは、不揮発性のメモリに作成される。テンポラリーデータ情報記録部は、読み取り中断フラグ部、読み込み済原稿枚数記録部、記録装置格納開始アドレス部、ならびに格納終了アドレス部で構成される。画像形成装置のフィーダーに複写対象原稿をセットして、複写対象原稿のスキャニングを開始すると、画像形成装置のコントローラユニットは、複写対象原稿をスキャンして画像形成装置に装着されているＨＤＤ等の記録装置に複写対象原稿のスキャンデータを格納する。それと同時にテンポラリーデータ情報記録部の情報を書き換える。スキャンしている最中に突然のトラブルにより画像形成装置の主電源が遮断された場合に、その時にフィーダーから読み込み中の画像データが画像形成装置のＨＤＤなどの記録装置への格納が終了していなかった場合には、その画像データ情報はテンポラリーデータ情報記録部には記録されない。
【実施例２】
【００２５】
図６は、本発明の実施の形態２における画像形成装置の電源遮断から復帰後の処理を説明するフローチャートである。実施の形態２では、読み取り中断原稿が有る場合、画像形成装置の操作部にあるＬＣＤ表示部に読み取り中断原稿があることを示すボタンを表示する点は実施の形態１と同じであるが、そこに、読み取り済原稿ページ数も表示する機構にする。画像形成装置の利用者は、表記されているページ数分の原稿を複写対象原稿から抜き取り、残った複写対象原稿を画像形成装置のフィーダーにセットし画像形成装置の操作部のＬＣＤ表示部に表示されている中断有りボタンを選択し、画像形成装置の操作部にあるスタートキーを押下して原稿読み取りを開始させる。以下、その処理の流れを説明する。
【００２６】
ステップＳ６０１は、画像形成装置の操作部にあるスタートキーが、操作部のＬＣＤ表示部に表示されている中断ジョブ有りボタンを選択してから押されたか否かを判定する処理を行う。ステップＳ６０１において、ＬＣＤ表示部に表示された中断ジョブ有りボタンが選択されて画像形成装置のスタートキーが押下された場合にはステップＳ６０２の処理へ、中断ジョブ有りボタンが選択されずに画像形成装置の操作部のスタートボタンが押下された場合には、通常のコピー処理を行う。
【００２７】
ステップＳ６０２は、画像形成装置のフィーダーにセットされた複写対象原稿をスキャンし、画像形成装置が読み込んだ画像データに対し画像処理を施す処理を行う。
【００２８】
ステップＳ６０３は画像形成装置のフィーダーに原稿が残っているか否かを判断する処理で、画像形成装置のフィーダーに原稿がある場合には、ステップＳ６０２の処理へ戻る。画像形成装置のフィーダーに原稿がない場合には、ステップＳ６０４へ処理を移行する。
【００２９】
ステップＳ６０４は、本画像形成装置の主電源が遮断される前までに処理を終了していたデータの最終ページと、主電源回復後に読み込んだ画像データの先頭ページを画像形成装置の操作部にあるＬＣＤ表示部に表示させる処理を行う。同時に、ＬＣＤ表示部に表示された内容に問題、すなわち、ページ間の接続に間違いがないか否かをユーザーが選択するボタンも表示される（例えば、ＯＫ、ＮＧの二つのボタンがＬＣＤ表示部に表示される）。画像形成装置の利用者は、ＬＣＤ表示部に表示された画像を見て、本画像形成装置の主電源切断の前後における複写対象原稿の読み込みに不足が無いことを確認できる。
【００３０】
ステップＳ６０５は、ステップＳ６０４で画像形成装置の操作部にあるＬＣＤ表示部に表示されたページ間接続に間違いか否かを選択するボタンが押下された場合の処理を示す。ステップＳ６０５において、ページ間接続が正しいとユーザーが判断したボタンが押下された場合、処理をステップＳ６０６へ移行する。ステップＳ６０５において、ページ間接続が間違っているとユーザーが判断したボタンが押下された場合、処理をステップＳ６０７へ移行する。
【００３１】
ステップＳ６０６はプリント動作を行う処理を示す。尚、ステップＳ６０６におけるプリント動作は、実施の形態１で説明したプリント動作と同じ処理を行う。すなわち、先ず、テンポラリーデータ情報記録部から画像形成装置の主電源が切断される以前に処理を終了していた画像データを印刷する。それが終了したら、画像形成装置の主電源が復帰した後に読み込まれた画像データの印刷を実行する。
【００３２】
ステップＳ６０７は、ステップＳ６０５で、ページ間接続が間違っているとユーザーが判断したボタンが押下された場合の処理で、不備のあるページのみを画像形成装置の原稿フィーダーにセットする案内を操作部のＬＣＤ表示部に表示させる。
【００３３】
ステップＳ６０８は、原稿フィーダーにセットされた複写対象原稿を読み込み、そのページをステップＳ６０４でＬＣＤ表示部に表示されたページ間に挿入し、印刷する処理を行う。本画像形成装置は、画像の読み込みが中断した前後の読み取り原稿のデータを格納している記録装置の格納場所を記憶しているので、ページ間挿入を行うことも容易に出来る。
【図面の簡単な説明】
【００３４】
【図１】本発明の実施の形態１における画像形成装置の電源遮断から復帰後の処理を説明するフローチャートである。
【図２】本発明の実施の形態１における画像形成装置の外観図である。
【図３】本発明の実施の形態１における画像形成装置の構成を説明する断面図である。
【図４】本発明の実施の形態１における画像形成装置の操作部１４０の構成図である。
【図５】本発明の実施の形態１における画像形成装置のテンポラリーデータ情報記録部の一例を示した図である。
【図６】本発明の実施の形態２における画像形成装置の電源遮断から復帰後の処理を説明するフローチャートである。
【符号の説明】
【００３５】
１０  スキャナ部
２０  プリンタ部
３０  コントローラユニット
１２２  用紙カセット
１２４  用紙カセット
１３２  排紙トレイ
１４０  操作部
１４２  原稿フィーダー
１４４  用紙カセット
１４６  用紙カセット
１０２９  スタートキー
１０３２  ＬＣＤ表示部
【図１】
2007013842.tif 000003
【図３】
2007013842.tif 000004
【図５】
2007013842.tif 000005
【図６】
2007013842.tif 000006
【図２】
2007013842.tif 000007
【図４】
2007013842.tif 000008